【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
装置内部を開放する開放位置と、装置内部を閉塞する閉塞位置とに回転する外装カバーと、
前記外装カバーの前記閉塞位置への回転に連動して、印刷媒体が送られる送り経路面から離間した第１離間位置から、前記外装カバーの前記閉塞位置への回転と同じ回転方向に回転して、第１押圧位置へ達し、前記印刷媒体を前記送り経路面に押圧する第１押えレバーと、
前記外装カバーの前記閉塞位置への回転に連動して、前記送り経路面から離間した第２離間位置から、前記外装カバーの前記閉塞位置への回転とは反対の回転方向に回転して、第２押圧位置へ達し、前記印刷媒体を前記送り経路面に押圧する第２押えレバーと、
を備えたことを特徴とする印刷装置。
【請求項２】
前記外装カバーは、
前記開放位置から前記閉塞位置に回転する際に、前記第１離間位置に位置する前記第１押えレバーと係合して、前記第１押えレバーを、前記第１押圧位置に向かう方向に回転させる第１係合部と、
前記開放位置から前記閉塞位置に回転する際に、前記第２離間位置に位置する前記第２押えレバーと係合して、前記第２押えレバーを、前記第２押圧位置に向かう方向に回転させる第２係合部と、
を有することを特徴とする請求項１に記載の印刷装置。
【請求項３】
前記第１押えレバーは、前記第１係合部が係合する係合受け部を有し、
前記第１押えレバーが前記第１押圧位置に位置するとき、前記第１押えレバーの回転中心に対して、前記第２押えレバー側に位置する部位が、前記印刷媒体に接触し、前記回転中心に対して前記第２押えレバー側と反対側に、前記係合受け部が含まれることを特徴とする請求項２に記載の印刷装置。
【請求項４】
前記第２係合部は、前記第２押圧位置に位置する前記第２押えレバーにおいて、前記第２押えレバーの回転中心に対して、前記第１押えレバーと反対側に位置する部位と係合することを特徴とする請求項２または３に記載の印刷装置。
【請求項５】
前記第１押えレバーのうち前記印刷媒体に接触する部位が設けられたレバー本体と前記係合受け部とが、一体に形成されていることを特徴とする請求項３に記載の印刷装置。
【請求項６】
前記閉塞位置に達した前記外装カバーの前記第１係合部は、前記第１押圧位置に位置する前記第１押えレバーとは、係合せず、
前記閉塞位置に達した前記外装カバーの前記第２係合部は、前記第２押圧位置に位置する前記第２押えレバーとは、係合しないことを特徴とする請求項２ないし５のいずれか一項に記載の印刷装置。
【請求項７】
前記第１押えレバーを、前記第１押圧位置と前記第１離間位置との間の中立点を境にして、前記第１押圧位置と前記第１離間位置とにそれぞれ付勢する第１弾性部材と、
前記第２押えレバーを、前記第２押圧位置と前記第２離間位置との間の中立点を境にして、前記第２押圧位置と前記第２離間位置とにそれぞれ付勢する第２弾性部材と、
をさらに備えたことを特徴とする請求項６に記載の印刷装置。
【請求項８】
前記印刷媒体を送る送り部と、
前記外装カバーが前記閉塞位置に位置しているか否かを検出する開閉検出センサーと、
前記開閉検出センサーが、前記外装カバーが前記閉塞位置に位置していないことを検出した場合に、前記送り部の駆動を禁止する制御部と、
をさらに備えたことを特徴とする請求項１ないし７のいずれか一項に記載の印刷装置。
【請求項９】
前記印刷媒体の幅方向の一方の側端をガイドする第１ガイド部と、
前記印刷媒体の幅方向の他方の側端をガイドする第２ガイド部と、をさらに備え、
前記第１押えレバーは、前記第１ガイド部に設けられ、
前記第２押えレバーは、前記第２ガイド部に設けられていることを特徴とする請求項１ないし８のいずれか一項に記載の印刷装置。
【請求項１０】
印刷媒体の送り方向と交差する交差方向に移動可能であり、前記印刷媒体の側端をガイドする可動ガイドと、
前記印刷媒体が送られる送り経路面から離間した第１位置と、第２位置と、の間で、回転可能に前記前記可動ガイドに設けられ、前記第２位置に位置するとき、前記印刷媒体を前記送り経路面に押圧し、前記可動ガイドの移動に伴って、前記交差方向に移動する押えレバーと、
装置内部を開放する開放位置から、装置内部を閉塞する閉塞位置へ向けて回転する際に、前記第１位置に位置している前記押えレバーと係合し、前記押えレバーを前記第２位置に向けて回転させる係合部、を有する外装カバーと、を備え、
前記係合部は、前記押えレバーが前記交差方向における移動範囲内の何処に位置する場合にも、前記押えレバーと係合可能であることを特徴とする印刷装置。
【手続補正２】
【補正対象書類名】明細書
【補正対象項目名】０００６
【補正方法】変更
【補正の内容】
【０００６】
本発明の印刷装置は、装置内部を開放する開放位置と、装置内部を閉塞する閉塞位置とに回転する外装カバーと、外装カバーの閉塞位置への回転に連動して、印刷媒体が送られる送り経路面から離間した第１離間位置から、外装カバーの閉塞位置への回転と同じ回転方向に回転して、第１押圧位置へ達し、印刷媒体を送り経路面に押圧する第１押えレバーと、外装カバーの閉塞位置への回転に連動して、送り経路面から離間した第２離間位置から、外装カバーの閉塞位置への回転とは反対の回転方向に回転して、第２押圧位置へ達し、印刷媒体を送り経路面に押圧する第２押えレバーと、を備えたことを特徴とする。
【手続補正３】
【補正対象書類名】明細書
【補正対象項目名】０００８
【補正方法】変更
【補正の内容】
【０００８】
この場合、外装カバーは、開放位置から閉塞位置に回転する際に、第１離間位置に位置する第１押えレバーと係合して、第１押えレバーを、第１押圧位置に向かう方向に回転させる第１係合部と、開放位置から閉塞位置に回転する際に、第２離間位置に位置する第２押えレバーと係合して、第２押えレバーを、第２押圧位置に向かう方向に回転させる第２係合部と、を有することが好ましい。
【手続補正４】
【補正対象書類名】明細書
【補正対象項目名】００１０
【補正方法】変更
【補正の内容】
【００１０】
この場合、第１押えレバーは、第１係合部が係合する係合受け部を有し、第１押えレバーが第１押圧位置に位置するとき、第１押えレバーの回転中心に対して、第２押えレバー側に位置する部位が、印刷媒体に接触し、回転中心に対して第２押えレバー側と反対側に、係合受け部が含まれることが好ましい。
【手続補正５】
【補正対象書類名】明細書
【補正対象項目名】００１２
【補正方法】変更
【補正の内容】
【００１２】
この場合、第２係合部は、第２押圧位置に位置する第２押えレバーにおいて、第２押えレバーの回転中心に対して、第１押えレバーと反対側に位置する部位と係合することが好ましい。
【手続補正６】
【補正対象書類名】明細書
【補正対象項目名】００１４
【補正方法】変更
【補正の内容】
【００１４】
この場合、第１押えレバーのうち印刷媒体に接触する部位が設けられたレバー本体と係合受け部とが、一体に形成されていることが好ましい。
【手続補正７】
【補正対象書類名】明細書
【補正対象項目名】００１６
【補正方法】変更
【補正の内容】
【００１６】
この場合、閉塞位置に達した外装カバーの第１係合部は、第１押圧位置に位置する第１押えレバーとは、係合せず、閉塞位置に達した外装カバーの第２係合部は、第２押圧位置に位置する第２押えレバーとは、係合しないことが好ましい。
【手続補正８】
【補正対象書類名】明細書
【補正対象項目名】００２４
【補正方法】変更
【補正の内容】
【００２４】
本発明の他の印刷装置は、印刷媒体の送り方向と交差する交差方向に移動可能であり、印刷媒体の側端をガイドする可動ガイドと、印刷媒体が送られる送り経路面から離間した第１位置と、第２位置と、の間で、回転可能に可動ガイドに設けられ、第２位置に位置するとき、印刷媒体を送り経路面に押圧し、可動ガイドの移動に伴って、交差方向に移動する押えレバーと、装置内部を開放する開放位置から、装置内部を閉塞する閉塞位置へ向けて回転する際に、第１位置に位置している押えレバーと係合し、押えレバーを第２位置に向けて回転させる係合部、を有する外装カバーと、を備え、係合部は、押えレバーが交差方向における移動範囲内の何処に位置する場合にも、押えレバーと係合可能であることを特徴とする。